(57)【要約】【課題】複雑な形状のアンダーカット部を有する成形品を容易に取り出すことができる金型を提供する。【解決手段】本開示は、固定型と可動型とを備える金型である。金型は、型閉じ状態で、固定型と可動型の間に樹脂を射出成形するためのキャビティが形成される。可動型は、型開き方向に移動するにつれて、型開き方向と垂直な方向にもそれぞれ移動するよう構成された第一スライドコアと第二スライドコアとを有する。固定型は、第一スライドコアを型開き方向に対して傾斜する向きにスライドさせる第一スライド手段と、第二スライドコアを型開き方向に対して傾斜する向きにスライドさせる第二スライド手段とを有する。第二スライド手段によるスライド方向の型開き方向に対する傾斜角θ２は、第一スライド手段によるスライド方向の型開き方向に対する傾斜角θ１よりも小さい。【選択図】図１
2018079668.tif 000002
【特許請求の範囲】
【請求項１】
固定型と可動型とを備え、型閉じ状態で、前記固定型と前記可動型の間に樹脂を射出成形するためのキャビティが形成される金型であって、
前記可動型は、型開き方向に移動するにつれて、型開き方向と垂直な方向にもそれぞれ移動するよう構成された第一スライドコアと第二スライドコアとを有し、
前記固定型は、前記第一スライドコアを型開き方向に対して傾斜する向きにスライドさせる第一スライド手段と、前記第二スライドコアを型開き方向に対して傾斜する向きにスライドさせる第二スライド手段とを有し、
前記第二スライド手段によるスライド方向の型開き方向に対する傾斜角θ２は、前記第一スライド手段によるスライド方向の型開き方向に対する傾斜角θ１よりも小さい、金型。
【請求項２】
請求項１に記載の金型であって、
前記第一スライド手段は、アンギュラピンであり、
前記第二スライド手段は、板カムであり、
前記第一スライドコアは、前記アンギュラピンが挿入される第一挿入孔を有し、
前記第二スライドコアは、前記板カムが挿入される第二挿入孔を有する、金型。
【請求項３】
請求項１又は請求項２に記載の金型であって、
前記第一スライドコアは、前記第二スライドコアが当接するスライド面を有し、
前記スライド面は、型開き方向と垂直な方向に対し傾斜している、金型。
【発明の詳細な説明】
【技術分野】
【０００１】
本開示は、金型に関する。
【背景技術】
【０００２】
射出成形品は、金型のキャビティに樹脂を射出し、射出した樹脂を金型から取り出すことで得られる。このような射出成形品の中には、金型を単純に開くだけでは取り出せないアンダーカット部が存在するものがある。
【０００３】
そこで、例えば特許文献１に開示されるようなスライドコアを設けた射出成形用の金型が公知である。
【先行技術文献】
【特許文献】
【０００４】
【特許文献１】特開２０１０−５８０４号公報
【発明の概要】
【発明が解決しようとする課題】
【０００５】
しかし、射出成形品が取り出し角度の異なる複数の部位を有する複雑な形状の場合には、従来の金型では、容易に成形品を取り出すことができず、取り出し時に成形品が傷付いたり、破損したりするおそれがある。
【０００６】
例えば図３に示す樹脂成形品１００は、上部に傘状に張り出した第一部分１０１と、上下方向に延伸しつつ、水平方向に凹凸が複雑に形成された第二部分１０２とを有する。第一部分１０１の先端は、下方に屈曲している。第一部分１０１の先端の金型からの取り出し角度と、第二部分１０２の凸部の金型からの取り出し角度とは、大きく異なる。
【０００７】
そのため、樹脂成形品１００を成形した金型のスライドコアを、第二部分１０２に合わせてスライドさせると、スライドコアが第一部分１０１等と干渉し、第一部分１０１等が損傷するおそれがある。逆に、第一部分１０１の先端部分に合わせてスライドコアをスライドさせると、スライドコアが第二部分１０２等に干渉し、第二部分１０２等が損傷する可能性がある。
【０００８】
本開示の一局面は、このような複雑な形状のアンダーカット部を有する成形品を容易に取り出すことができる金型を提供することを目的としている。
【課題を解決するための手段】
【０００９】
本開示の一態様は、固定型と可動型とを備える金型である。金型は、型閉じ状態で、固定型と可動型の間に樹脂を射出成形するためのキャビティが形成される。可動型は、型開き方向に移動するにつれて、型開き方向と垂直な方向にもそれぞれ移動するよう構成された第一スライドコアと第二スライドコアとを有する。固定型は、第一スライドコアを型開き方向に対して傾斜する向きにスライドさせる第一スライド手段と、第二スライドコアを型開き方向に対して傾斜する向きにスライドさせる第二スライド手段とを有する。第二スライド手段によるスライド方向の型開き方向に対する傾斜角θ２は、第一スライド手段によるスライド方向の型開き方向に対する傾斜角θ１よりも小さい。
【００１０】
このような構成によれば、第一スライドコアと第二スライドコアとを、固定型に対し異なる角度でスライドさせることができる。また、第一スライドコアと第二スライドコアとを型開き方向と垂直な方向（水平方向）に異なる距離スライドさせることができる。そのため、第一スライドコア及び第二スライドコアの水平方向端面に形成されたキャビティ内の成形品が取り出し角度の異なる複数の部位を有していても、成形品を傷付けることなく、容易に取り出すことができる。
【００１１】
本開示の一態様は、第一スライド手段は、アンギュラピンであってもよい。第二スライド手段は、板カムであってもよい。第一スライドコアは、アンギュラピンが挿入される第一挿入孔を有してもよい。第二スライドコアは、板カムが挿入される第二挿入孔を有してもよい。このような構成によれば、容易かつ確実に第一スライドコアと第二スライドコアとを異なる方向及び距離でスライドさせることができる。
【００１２】
本開示の一態様は、第一スライドコアは、第二スライドコアが当接するスライド面を有してもよい。スライド面は、型開き方向と垂直な方向に対し傾斜していてもよい。このような構成によれば、より複雑な形状のアンダーカット部を有する成形品を金型から容易に取り出すことができる。
【図面の簡単な説明】
【００１３】
【図１】図１は、実施形態の金型の型閉じ状態を示す模式的な断面図である。
【図２】図２は、実施形態の金型の型開き状態を示す模式的な断面図である。
【図３】図３は、実施形態の金型で成形される樹脂成形品を示す模式的な部分断面図である。
【発明を実施するための形態】
【００１４】
以下、本開示が適用された実施形態について、図面を用いて説明する。
［１．第１実施形態］
［１−１．構成］
図１及び図２に示す金型１は、図３に示す樹脂成形品１００を射出成形するためのものである。
【００１５】
金型１は、樹脂成形品の取り出し時、つまり型開き時に移動しない固定型２と、固定型２に対し相対的に移動可能な可動型３とを備える。金型１は、可動型３が固定型２に対し相対移動することで、鉛直方向（図中Ｕ−Ｄ方向）に型開きを行い、キャビティ内の成形品を取り出すように構成されている。
【００１６】
＜固定型＞
固定型２は、アンギュラピン支持部２１と、アンギュラピン２２と、板カム２３とを備える。アンギュラピン２２は、アンギュラピン支持部２１を貫通すると共に、アンギュラピン支持部２１に固定されている。なお、本実施形態におけるアンギュラピン２２は、第一スライド手段に該当し、板カム２３は、第二スライド手段に該当する。
【００１７】
アンギュラピン支持部２１及び板カム２３は、金型１の型開き時に移動しないように位置が固定されている。つまり、図１及び図２に示すように、アンギュラピン２２及び板カム２３の位置関係は、金型１の型開きによって変化しない。
【００１８】
（アンギュラピン）
アンギュラピン２２は、可動型３の第一スライドコア３１を型開き方向（つまり、鉛直方向）に対して傾斜する向きにスライドさせる棒状の部材である。
【００１９】
アンギュラピン２２の上側（図中Ｕ側）の部分はアンギュラピン支持部２１に固定され、下側（図中Ｄ側）の部分は、中心軸方向に移動が可能なように、第一スライドコア３１の第一挿入孔３１Ａに挿入される。
【００２０】
アンギュラピン２２は、上側が板カム２３及び第二スライドコア３２に近接するように（つまり、図中右上から左下に延伸するように）傾斜している。アンギュラピン２２の中心軸の型開き方向に対する傾斜角θ１は、アンギュラピン２２による第一スライドコア３１のスライド方向の、型開き方向に対する傾斜角である。この傾斜角θ１は、成形品の形状によって適宜設計されるが、樹脂成形品１００の場合、例えば１５°とすることができる。なお、本明細書における角度は一例であって、これに限定されるものではない。
【００２１】
（板カム）
板カム２３は、可動型３の第二スライドコア３２を、第一スライドコア３１とは異なる角度で型開き方向に対して傾斜する向きにスライドさせる板状の部材である。
【００２２】
板カム２３は、ヘッド２３Ａと、プレート２３Ｂとから構成されている。プレート２３Ｂは、アンギュラピン２２の中心軸を含む仮想平面に垂直な板面を有し、板面方向に移動が可能なように、第二スライドコア３２の第二挿入孔３２Ａに挿入される。ヘッド２３Ａは、プレート２３Ｂよりも水平方向（図中左右方向）の幅が大きく、図１の型閉じ状態で、第二スライドコア３２の第二挿入孔３２Ａの上側に係止される。また、板カム２３の下側の先端は、図１の型閉じ状態で、第一スライドコア３１の凹部３１Ｃに収納される。
【００２３】
板カム２３のプレート２３Ｂは、アンギュラピン２２と同じ向きに傾斜している。プレート２３Ｂの板面の型開き方向に対する傾斜角θ２は、板カム２３による第二スライドコア３２のスライド方向の、型開き方向に対する傾斜角であり、アンギュラピン２２の中心軸の型開き方向に対する傾斜角θ１よりも小さい。傾斜角θ２は、成形品の形状によって適宜設計されるが、樹脂成形品１００の場合、例えば４°とすることができる。
【００２４】
＜可動型＞
可動型３は、型開き方向に移動するにつれて、水平方向（図中Ｈ方向）にもそれぞれ移動するよう構成された第一スライドコア３１と第二スライドコア３２とを有する。
【００２５】
（第一スライドコア）
第一スライドコア３１は、アンギュラピン２２が挿入される第一挿入孔３１Ａと、第二スライドコア３２が載置されるスライド面３１Ｂと、板カム２３の先端が収納可能な凹部３１Ｃと、キャビティ形成面３１Ｄとを有する。
【００２６】
第一挿入孔３１Ａは、アンギュラピン２２がその中心軸方向に挿通可能なように形成されている。アンギュラピン２２は、図１の型閉じ状態で、第一挿入孔３１Ａを貫通し、第一スライドコア３１の下側に突出する。
【００２７】
スライド面３１Ｂは、第二スライドコア３２が当接する面であり、第一スライドコア３１の第一挿入孔３１Ａが形成された面よりも上側（固定型２側）の位置に設けられている。スライド面３１Ｂは、水平面に対し一定角度で傾斜している。スライド面３１Ｂの傾斜角θ３は、成形品の形状によって適宜設計されるが、樹脂成形品１００の場合、例えば５°とすることができる。
【００２８】
凹部３１Ｃは、スライド面３１Ｂに形成されている。凹部３１Ｃは、第二スライドコア３２の第二挿入孔３２Ａの下側に、第二挿入孔３２Ａを平面視で包含するように設けられている。
【００２９】
キャビティ形成面３１Ｄは、第一スライドコア３１において、図２に示す型開き時の水平方向における移動方向（Ｈ方向）と反対側（図中右側）の端面に設けられている。キャビティ形成面３１Ｄには、樹脂成形品１００の第二部分１０２を含む下側部分の外形に沿った凹凸が形成されている。
【００３０】
なお、第一スライドコア３１の下面（スライド面３１Ｂと対向する面）の傾斜角θ４は、成形品の形状によって適宜設計されるが、樹脂成形品１００の場合、例えば１０°とすることができる。
【００３１】
（第二スライドコア）
第二スライドコア３２は、第一スライドコア３１と独立してスライド可能に構成されている。第二スライドコア３２は、板カム２３が挿入される第二挿入孔３２Ａと、キャビティ形成面３２Ｂとを有する。
【００３２】
第二挿入孔３２Ａは、板カム２３がその板面方向に挿通可能なように形成されている。板カム２３は、図１の型閉じ状態で、第二挿入孔３２Ａを貫通し、第二スライドコア３２の下側に突出し、その先端は凹部３１Ｃに収納される。
【００３３】
キャビティ形成面３２Ｂは、第二スライドコア３２において、右側の面と、この面から連続する上面の一部に設けられている。また、キャビティ形成面３２Ｂは、図１の型閉じ状態で、第一スライドコア３１のキャビティ形成面３１Ｄの上端と連続するように形成される。キャビティ形成面３２Ｂには、第一部分１０１と、第一部分１０１及び第二部分１０２の連続部分とを含む樹脂成形品１００の上側部分に沿った凹凸が形成されている。
【００３４】
［１−２．使用方法］
次に、金型１の使用方法、つまり金型１を用いた樹脂成形品の製造方法について説明する。
【００３５】
まず図１の型閉じ状態で、第一スライドコア３１のキャビティ形成面３１Ｄ及び第二スライドコア３２のキャビティ形成面３２Ｂによって形成されるキャビティ内に樹脂を射出する。なお、金型１は、固定型２及び可動型３以外の図示しない型をさらに備えており、これらの型によって、第一スライドコア３１及び第二スライドコア３２の右側及び上側に樹脂成形品１００の外形に沿ったキャビティが形成される。
【００３６】
樹脂を射出後、成形品を取り出すために型開きを行う。具体的には、第一スライドコア３１及び第二スライドコア３２を同時にＤ方向に移動させる。これにより、アンギュラピン２２及び板カム２３は、第一挿入孔３１Ａ及び第二挿入孔３２Ａからそれぞれ抜ける。その結果、図２に示すように、第一スライドコア３１は、アンギュラピン２２及び第一挿入孔３１Ａに案内されて、Ｈ方向にスライドする。同時に、第二スライドコア３２も、板カム２３及び第二挿入孔３２Ａに案内されて、第一スライドコア３１上でＨ方向にスライドする。
【００３７】
このとき、アンギュラピン２２の傾斜角θ１は、板カム２３の傾斜角θ２よりも大きいため、第一スライドコア３１は、第二スライドコア３２よりもＨ方向に大きくスライドする。そのため、第二スライドコア３２は、全体としてＨ方向にスライドしつつも、第一スライドコア３１に対しては、スライド面３１Ｂ上をＨ方向と反対方向（右方向）に相対的にスライドする。これにより、図２に示すように、第二スライドコア３２のキャビティ形成面３２Ｂは、第一スライドコア３１のキャビティ形成面３１Ｄよりも右側に突出する形となる。
【００３８】
その結果、図３における樹脂成形品１００における第一部分１０１と、第一部分１０１及び第二部分１０２の連続部分とに当接する第二スライドコア３２と、第二部分１０２に当接する第一スライドコア３１とを、異なる傾斜角でＨ方向に同時にスライドして、樹脂成形品１００から離間することができる。樹脂成形品１００の場合では、第一スライドコア３１は水平面に対し例えば１０°の傾斜角（図１のθ６、θ７に該当）でスライドし、第二スライドコア３２は水平面に対し例えば６３°の傾斜角（図１のθ５に該当）でスライドする。これにより、樹脂成形品１００における第一部分１０１の先端部分と、第二部分１０２の凸部とがそれぞれ的確な角度で金型から抜かれる。
【００３９】
なお、第一スライドコア３１の第二スライドコア３２に対するＨ方向のスライド量は、第一スライドコア３１のＨ方向のスライド量Ｄ１から第二スライドコア３２のＨ方向のスライド量Ｄ２を引いたもの（Ｄ１−Ｄ２）となる。
【００４０】
第一スライドコア３１及び第二スライドコア３２のスライド量Ｄ１，Ｄ２及びスライドの傾斜角は、アンギュラピン２２の傾斜角θ１及び板カム２３の傾斜角θ２により調整することができる。
【００４１】
［１−３．効果］
以上詳述した実施形態によれば、以下の効果が得られる。
（１ａ）樹脂成形品１００の第一部分１０１と第二部分１０２とに対応して、第一スライドコア３１と第二スライドコア３２とを、固定型２に対し異なる角度でスライドさせることができる。同時に、第一スライドコア３１と第二スライドコア３２とを水平方向に異なる距離スライドさせることができる。そのため、取り出し角度の異なる複数の部位を有する複雑な形状の樹脂成形品１００を傷付けることなく、容易に取り出すことができる。
【００４２】
（１ｂ）スライド手段として、アンギュラピン２２及び板カム２３を用いているので、簡潔な構成で、容易かつ確実に第一スライドコア３１と第二スライドコア３２とを異なる方向及び距離でスライドさせることができる。
【００４３】
（１ｃ）第一スライドコア３１と第二スライドコア３２とのスライド面３１Ｂが水平方向に対し傾斜しているので、複雑な形状のアンダーカット部を有する樹脂成形品１００を容易に取り出すことができる。
【００４４】
［２．他の実施形態］
以上、本開示の実施形態について説明したが、本開示は、上記実施形態に限定されることなく、種々の形態を採り得ることは言うまでもない。
【００４５】
（２ａ）上記実施形態の金型１において、第一スライド手段として、アンギュラピン２２以外の手段を用いてもよい。また、第二スライド手段として、板カム２３以外の手段を用いてもよい。つまり、スライド手段として、アンギュラピンのみを用いてもよいし、板カムのみを用いてもよい。アンギュラピンを用いることで、金型１のコストを低減できる。一方、板カムを用いることで、スライドの精度を高めることができる。
【００４６】
（２ｂ）上記実施形態の金型１において、射出する樹脂成形品の形状によっては、スライド面３１Ｂは、水平方向に対し傾斜していなくてもよい。つまり、スライド面３１Ｂは水平面であってもよい。
【００４７】
（２ｃ）図３の樹脂成形品１００の形状は、本開示の金型で成形される成形品の一例である。本開示の金型のキャビティ形状は、樹脂成形品１００の外形に沿ったものに限定されるものではない。また、図１及び図２における第一スライドコア３１や第二スライドコア３２の形状も一例に過ぎない。
【００４８】
（２ｄ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００４９】
１…金型、２…固定型、３…可動型、２１…アンギュラピン支持部、
２２…アンギュラピン、２３…板カム、２３Ａ…ヘッド、２３Ｂ…プレート、
３１…第一スライドコア、３１Ａ…第一挿入孔、３１Ｂ…スライド面、
３１Ｃ…凹部、３１Ｄ…キャビティ形成面、
３２…第二スライドコア、３２Ａ…第二挿入孔、３２Ｂ…キャビティ形成面、
１００…樹脂成形品、１０１…第一部分、１０２…第二部分。
【図１】
2018079668.tif 000003
【図２】
2018079668.tif 000004
【図３】
2018079668.tif 000005